(57)【特許請求の範囲】
【請求項１】
転動する円盤の回転角度を計測する事によりその回転円盤の転動した曲線分の長さを測定する曲線長測器に於いて、回転円盤の転動方向が被測定曲線の接線角度の変化に追随して回転するキャスター機構を有し、本体に設置されたＬＥＤによりキャスターの回転軸部から光を投光し、回転円盤とキャスター回転軸部に有る光導体によって構成されるスリット式パルスジェネレターをキャスターに内蔵し、回転円盤の転動に対応した光信号をキャスター軸中心から取り出す、キャスター機構を有することを特徴とする曲線長測器。
【請求項２】
請求項１に記載された曲線長測器に於いて、キャスター部分と本体部分との回転部分の空間を介した信号の授受を光学的に行うキャスター機構を有することを特徴とする曲線長測器。
【請求項３】
請求項１に記載された曲線長測器に於いて、光学的センサーの投光軸と別体の信号軸が同一構造体として結合された構造のパルスジェネレターを使用するキャスター機構を有することを特徴とする曲線長測器。
【発明の詳細な説明】
【０００１】
【発明の属する技術分野】
本発明は転動円盤が被測定曲線に正確に追随するようにキャスター機構を有し、光学的センサーによる曲線長測器に関するものである。
【０００２】
【従来の技術】
従来、地図等の直線、曲線、屈線の混在する線の距離の測定に於いて円盤を転動させる方式にあっては、転動円盤の軸は本体に固定されている為に曲線等の接線の変化に応じられなかた。表示機構は一般には本体に取り付けられている為本体を回転したのでは数値を計測するのは不正確である。また有限の大きさのある本体を測定線の接線角に合わせて回転させる事は容易ではなく測定誤差も大きくなる。
【０００３】
【発明が解決しようとする課題】
本発明は曲線長測器に於いて本体の表示面の方向を変えることなく、又  保持した本体の位置を変えることなく転動円盤が被測定曲線の接線の変化に自在に追随して転動出来る様にして、光学的センサーを取り付けることにより測定を容易且つ正確にしようとするものである。
【０００４】
【課題を解決するための手段】
本発明はキャスター機構を採用することにより計測器本体の向きに関係無く被測定曲線の接線方向に転動円盤を移動させるものである。転動円盤からの移動距離に比例した信号をキャスターの回転軸を通じて本体のカウンターに転送する為に光学的に空間を通過させる事とした。又  回転円盤をスリット式パルスジェネレーターとし寸法を数ｍｍの範囲に収めるため、スリットの左右に微少な鏡を設置することとしこれ等を光ファイバーの一体構造で構成し光導体とした。一方信号軸は別体の光ファイバーで前記光導体から取り出す事とした。加えて光度を上げる為に投光鏡を凹面鏡としている。等々してキャスター機能を完結して課題点を解決している。
【０００５】
【発明の実施の形態】
本発明の曲線長測器の回転円盤には当該円盤の外周の長さに相応するスリットが施されていて光源から誘導された投光が左右の一方から当てられ他方から光ファイバーでフォトセルに到達するスリット式パルスジェネレーターを構成している。一方、当該回転円盤は本体の軸からほぼ半径の長さ分離れた位置に設置されキャスターを構成している。本考案による曲線長測器で地図等の直線、曲線、屈線等の混在線上で回転円盤を転動させれば、キャスターの作用により、本体をこれら線の接線方向の変化に応じて回転すること無く其の長さを計測することができる。
【０００６】
【実施例】
以下、本発明の実施例を図面に基付いて説明する。図１は本発明の外形図である。本体１は太めのペン状であり回転円盤２が本体１の軸心ｃからほぼ半径の長さ分オフセットして取り付けられたキャスター３が先端にある、又、本体には電源スイッチ４とカウンターと液晶表示板５が取り付けられている。
【０００７】
図２は本発明の主要部の拡大断面図である。回転円盤２は、真鍮又は鉄で比較的硬い材料で、外周の長さに応じた数のスリットｓがほぼスリット幅、離して円周上に等間隔にあけられている。回転円盤２の直径は、約５ｍｍ乃至８ｍｍ程度である。回転円盤の幅は、約０、５ｍｍ乃至０、８ｍｍ程度である。
【０００８】
図３はパルスジェネレーター主要部拡大図である。回転円盤２のスリットｓの一つは、光導体６の反射鏡ｍ１、ｍ２によって挟まれている。投下光束は光導体６の端部のエアーギャップｄから投入されるが光導体６に設けられた関ｂよりコントロールされて反射鏡ｍ１に至る。反射鏡ｍ１は凹面鏡となっているため投下光束は凹面で集光されながらスリットｓを通過し反射鏡ｍ２で再度反射されて投光方向と反対方向の信号軸７に有効に到達する。反射鏡ｍ２信号軸７の光束の入り口付近は関ｂによって投下光束を遮断して乱反射を防止している。回転円盤の回転によってスリットｓは移動するため反射鏡ｍ１、ｍ２間の光束は遮断されるので回転に対応したパルス信号が発生する。光導体の直径は、約２ｍｍ乃至３ｍｍ程度である。
【０００９】
信号軸７は光ファイバーで出口を光導体６の中心に設置し、それらの中心を本体１の中心軸ｃに一致して設置してある。従ってキャスター３は信号軸７及び光導体６を中心軸として回転する。受信軸８の中心軸と投光体９の中心軸は本体１の中心軸ｃと同軸上に固定されている。従って、キャスター部の信号軸７と光導体６、と本体部の受信軸８と投光体９はエアーギャップｄを介して対峙しており、此のエアーギャップｄを通過して運動部と固定部間の光源と信号が光学的に伝達される。
【００１０】
受信軸８は光フアイバーで終端にフオトセル１０が接続されており、そこで電気信号となりカウンター５に回転円盤の回転情報がかインプットされる。一方投光体にはＬＥＤ１１から光束が供給される。
【００１１】
【発明の効果】
請求項１の発明においては、地図等の直線、曲線、屈線等の混在した線の長さを測定する場合、本曲線長測定器のキャスター機能により測定器の本体を被測定線の接線変化に応じて回転する事無く測定できる為容易、迅速且つ正確に測定することが出来る。
【００１２】
請求項２の効果に於いては、回転運動体において運動部分と非運動部分との相対的位置変化の有る場合の信号の授受はスリップリングに依るか又は相対運動の空間を伝播する電磁波、磁力、光等を使用するが本考案に於いては光系を採用する事によって小型で簡単に其れが可能となった。又回転体に於いては中心軸は相対運動をしていない為、中心軸の同軸上に光源光軸と信号軸を配置する事によって回転体の信号の授受を安定かつ可能とした。
【００１３】
請求項３の効果については、投下光をスリット部迄光導体及び光導体に設けた反射鏡で導いてきている、スリットを通過した信号は再び光導体に入り反射鏡を経て別体の光ファイバーの信号軸で取り出されるが、本発明において光導体の中に信号軸をビルトインして同一構造体とする事に依って光ファイバーを曲線的に特別の留め具を使用する事無く設置し、直径数ｍｍの範囲に収納する事ができた。
【００１４】
請求項４の効果はスリットの直径が０、５ｍｍ程度の大きさであるため光度を強くすることは的確なパルスジェネレーターには必要な事であり、システムの成否に係わってくる。本発明ではペン型で携帯性のある本計測器の電池寿命を延ばす上からも光エネルギーの効率化が計れる。
【図面の簡単な説明】
【図１】本発明のキャスター機構を有する曲線長測器の一実施例を示す外形図
【図２】本曲線長測器の主要部断面拡大図
【図３】本発明パルスジェネレーター主要部拡大図
【符号の説明】
１  本体
２  回転円盤
３  キャスター
４  電源スイッチ
５  カウンターの液晶表示板
６  光導体
７  信号軸
８  受信軸
９  投光体
１０  フォトセル
１１  ＬＥＤ
ｂ  関
ｃ  回転中心
ｄ  エアーギャップ
ｓ  スリット
ｍ１  反射鏡
ｍ２  反射鏡
【図１】
0003616976.tif 000002
【図２】
0003616976.tif 000003
【図３】
0003616976.tif 000004